【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
分散アンテナシステム（ＤＡＳ）（１００）においてデジタルデータを伝送する方法であり、
少なくとも１つのデータソース（１０１、１０２、１０３、１０４）からデータを受信する（Ｓ１０１）ことと、
受信された前記データを処理する（Ｓ１０２）ことと、
処理された前記データを、前記ＤＡＳ（１００）内での更なる伝送のためのデジタル実数値パスバンドデータとして提供する（Ｓ１０３）ことと、
を備えていることを特徴とする方法。
【請求項２】
受信された前記データを前記処理する（Ｓ１０２）ことは更に、
少なくとも１つのデータソース（１０１、１０２、１０３、１０４）により提供される、複合データとして受信され、フィルタリングの前にデジタル化されるチャネルをフィルタリングする（Ｓ１０２ｂ’）ことと、
各フィルタリングされたチャネルの前記データを、リサンプリングされるフィルタリングされた前記チャネルの前記データの最大帯域幅に適合されている削減されたサンプルレートでリサンプリングする（Ｓ１０２ｂ”）ことと、
を備えていることを特徴とする請求項１に記載の方法。
【請求項３】
削減された前記サンプルレートは、リサンプリングされるフィルタリングされた前記チャネルの前記最大帯域幅の信号の帯域幅の少なくとも２倍となるように選択されることを特徴とする請求項２に記載の方法。
【請求項４】
受信された前記データは、アナログ無線周波数（ＲＦ）データとして受信され（Ｓ１０１）、受信された前記データの前記処理（Ｓ１０２）は、
前記アナログＲＦデータを、直交復調器により、中間周波数（ＩＦ）データにミックスダウン且つ復調する（Ｓ１０２ａ）ことを備えていることを特徴とする請求項１から３の何れか１項に記載の方法。
【請求項５】
前記アナログＲＦデータはゼロＩＦにミックスダウンされ、受信された前記データの前記処理（Ｓ１０２）は更に、
復調された前記ＩＦデータをサンプリングする（Ｓ１０２ｂ）ことと、デジタルベースバンドデータを作成するための処理と、
前記デジタルベースバンドデータをアップサンプリングする（Ｓ１０２ｃ）ことと、
正の周波数全体において、または負の周波数全体において位置するデータを得るために、アップサンプリングされた前記デジタルベースバンドデータの前記周波数をシフトする（Ｓ１０２ｄ）ことと、
前記ＤＡＳ内での更なる伝送のためのデジタル実数値パスバンドデータを作成するために、各周波数シフトされたデジタルベースバンドデータサンプルの実部または虚部成分の何れかを破棄する（Ｓ１０２ｅ）ことと、
を備えていることを特徴とする請求項４に記載の方法。
【請求項６】
前記アナログＲＦデータは非ゼロＩＦにミックスダウンされ、受信された前記データの前記処理（Ｓ１０２）は更に、
デジタルパスバンドデータを作成するために、復調された前記ＩＦデータをサンプリングする（Ｓ１０２ｂ）ことと、
正の周波数全体において、または負の周波数全体において位置するデータを得るために、前記デジタルパスバンドデータの前記周波数をシフトする（Ｓ１０２ｄ’）ことと、
前記ＤＡＳ内での更なる伝送のためのデジタル実数値パスバンドデータを作成するために、各周波数シフトされたデジタルパスバンドデータサンプルの実部または虚部成分の何れかを破棄する（Ｓ１０２ｅ）ことと、
を備えていることを特徴とする請求項４に記載の方法。
【請求項７】
受信された前記データは、アナログ無線周波数（ＲＦ）データとして受信され（Ｓ１０１）、受信された前記データの前記処理（Ｓ１０２）は、
前記アナログＲＦデータを、非直交復調器により、中間周波数（ＩＦ）データにミックスダウン且つ復調する（Ｓ１０２ａ）ことを備えていることを特徴とする請求項１から３の何れか１項に記載の方法。
【請求項８】
受信された前記データの前記処理（Ｓ１０２）は更に、
前記ＤＡＳ内での更なる伝送のためのデジタル実数値パスバンドデータを作成するために、復調された前記ＩＦデータをサンプリングする（Ｓ１０２ｂ）ことを備えていることを特徴とする請求項７に記載の方法。
【請求項９】
前記デジタル実数値パスバンドデータを、直交復調器により、ゼロＩＦに復調する（Ｓ１０２ｂ１）ことと、
少なくとも１つのデータソース（１０１、１０２、１０３、１０４）により提供される各チャネルに対して、直交復調された前記データをフィルタリングする（Ｓ１０２ｂ’）ことと、
各チャネルの、フィルタリングされた前記直交復調されたデータを、リサンプリングされる前記チャネルの直交復調された前記データの最大帯域幅に適合された、削減されたサンプルレートでリサンプリングする（Ｓ１０２ｂ”）ことと、
実数値デジタルベースバンド信号を、前記ＤＡＳ（１００）内での更なる伝送のための実数値デジタルパスバンド信号に変換する（Ｓ１０３ａ）ことと、
を更に備えていることを特徴とする請求項８に記載の方法。
【請求項１０】
受信された前記データは、アナログ無線周波数（ＲＦ）データとして受信され（Ｓ１０１）、受信された前記データの前記処理（Ｓ１０２）は、
前記アナログＲＦデータを、非直交復調器により復調することを備えていることを特徴とする請求項１から３の何れか１項に記載の方法。
【請求項１１】
受信された前記データの前記処理（Ｓ１０２）は更に、
復調されたＲＦデータを、前記ＤＡＳ内での更なる伝送のためのデジタル実数値パスバンドデータを作成するためにサンプリングする（Ｓ１０２ｂ）ことを備えていることを特徴とする請求項１から３の何れか１項に記載の方法。
【請求項１２】
分散アンテナシステム（ＤＡＳ）（１００）においてデジタルデータを伝送するように構成要素されている装置（１０７、１０８）であり、処理ユニット（３０）とメモリ（３２）を備え、前記メモリは、前記処理ユニットにより実行可能な命令（３１）を含んでおり、それにより、前記装置（１０７、１０８）は、
少なくとも１つのデータソース（１０１、１０２、１０３、１０４）からデータを受信し（Ｓ１０１）、
受信された前記データを処理し（Ｓ１０２）、
処理された前記データを、前記ＤＡＳ（１００）内での更なる伝送のためのデジタル実数値パスバンドデータとして提供する（Ｓ１０３）ように機能することを特徴とする装置（１０７、１０８）。
【請求項１３】
受信された前記データを処理する（Ｓ１０２）ときは更に、
少なくとも１つのデータソース（１０１、１０２、１０３、１０４）により提供される、複合データとして受信され、フィルタリングの前にデジタル化されるチャネルをフィルタリングし（Ｓ１０２ｂ’）、
各フィルタリングされたチャネルの前記データを、リサンプリングされるフィルタリングされた前記チャネルの前記データの最大帯域幅に適合されている削減されたサンプルレートでリサンプリングする（Ｓ１０２ｂ”）ように機能することを特徴とする請求項１２に記載の装置（１０７、１０８）。
【請求項１４】
更に、受信された前記データを、アナログ無線周波数（ＲＦ）データとして受信し（Ｓ１０１）、受信された前記データを処理する（Ｓ１０２）ときは更に、
前記アナログＲＦデータを、直交変調器により、中間周波数（ＩＦ）データにミックスダウン且つ復調するように機能することを特徴とする請求項１２または１３に記載の装置（１０７、１０８）。
【請求項１５】
更に、前記アナログＲＦデータをゼロＩＦにミックスダウンし、受信された前記データを処理する（Ｓ１０２）ときは更に、
デジタルパスバンドデータを作成するために、復調された前記ＩＦデータをサンプリングし（Ｓ１０２ｂ）、
正の周波数全体において、または負の周波数全体において位置するデータを得るために、前記デジタルパスバンドデータの前記周波数をシフトし（Ｓ１０２ｄ’）、
前記ＤＡＳ内での更なる伝送のためのデジタル実数値パスバンドデータを作成するために、各周波数シフトされたデジタルパスバンドデータサンプルの実部または虚部成分の何れかを破棄する（Ｓ１０２ｅ）ように機能することを特徴とする請求項１４に記載の装置（１０７、１０８）。
【請求項１６】
更に、受信された前記データを、アナログ無線周波数（ＲＦ）データとして受信し（Ｓ１０１）、受信された前記データを処理する（Ｓ１０２）ときは更に、
前記アナログＲＦデータを、非直交復調器により、中間周波数（ＩＦ）データにミックスダウン且つ復調する（Ｓ１０２ａ）ように機能することを特徴とする請求項１２または１３に記載の装置（１０７、１０８）。